(57)【要約】      （修正有）【課題】十分に緩衝できる包装装置を提供する。【解決手段】包装装置は、熱源機の一端を熱源機の外側から包装するためのものである。包装装置は、本体部２１と、蓋部２２とを備えている。本体部２１は、底部２１ａと、底部２１ａの周縁から上方に延びる周壁部２１ｂと、周壁部２１ｂの上端ＴＥよりも下側において内方に凹んだ凹み部２１ｃとを含む。蓋部２２は、本体部２１と別体である。蓋部２２は、周壁部２１ｂの上端ＴＥから周壁部２１ｂで取り囲まれた領域の内方に延び、内方端ＩＥが自由端である内方延在部２２ａを含む。内方延在部２２ａは、周壁部２１ｂの上端ＴＥよりも内方において熱源機を受ける支持部ＳＰを有する。【選択図】図３
2016199293.tif 000002
【特許請求の範囲】
【請求項１】
被包装物の一端を前記被包装物の外側から包装するための包装装置であって、
底部と、前記底部の周縁から上方に延びる周壁部と、前記周壁部の上端よりも下側において内方に凹んだ凹み部とを含む本体部と、
前記本体部と別体の蓋部とを備え、
前記蓋部は、前記周壁部の前記上端から前記周壁部で取り囲まれた領域の内方に延び、内方端が自由端である内方延在部を含み、
前記内方延在部は、前記周壁部の前記上端よりも内方において前記被包装物を受ける支持部を有する、包装装置。
【請求項２】
前記支持部は、前記凹み部よりも内方に配置されている、請求項１に記載の包装装置。
【請求項３】
前記凹み部は、前記支持部に接触可能な湾曲部を含む、請求項１または２に記載の包装装置。
【請求項４】
前記蓋部は、前記本体部よりも変形しやすい、請求項１〜３のいずれか１項に記載の包装装置。
【請求項５】
前記周壁部の前記上端は矩形形状に形成されており、
前記支持部は、前記矩形形状の四隅の各々の内側に配置されている、請求項１〜４のいずれか１項に記載の包装装置。
【請求項６】
前記蓋部は、複数の部材に分割可能に構成されており、
前記複数の部材は、互いに重ならずに前記本体部内に収納される、請求項１〜５のいずれか１項に記載の包装装置。
【発明の詳細な説明】
【技術分野】
【０００１】
本発明は、包装装置に関し、特に、被包装物の一端を前記被包装物の外側から包装するための包装装置に関するものである。
【背景技術】
【０００２】
従来、熱源機の梱包方法として、樹脂製のトレーが熱源機の上下に被せられ、トレーと熱源機とが一体的にシュリンクシートで覆われた状態でシュリンクシートを熱収縮させる方法が用いられている。
【０００３】
この熱源機の梱包方法は、たとえば特許第３７６８０４９号公報（特許文献１）に記載されている。具体的には、給湯器の上下両側の各端部に一対の保護部材が外嵌され、熱収縮フィルムで全体が覆われた状態で、熱収縮フィルムを熱収縮させることにより包装された包装体が記載されている。
【先行技術文献】
【特許文献】
【０００４】
【特許文献１】特許第３７６８０４９号公報
【発明の概要】
【発明が解決しようとする課題】
【０００５】
上記公報に記載された包装体では、包装体が落下した際に、保護部材により十分に緩衝できないことがある。
【０００６】
本発明は、上記の課題に鑑みてなされたものであり、その目的は、十分に緩衝できる包装装置を提供することである。
【課題を解決するための手段】
【０００７】
本発明の包装装置は、被包装物の一端を被包装物の外側から包装するためのものである。包装装置は、本体部と、蓋部とを備えている。本体部は、底部と、底部の周縁から上方に延びる周壁部と、周壁部の上端よりも下側において内方に凹んだ凹み部とを含む。蓋部は、本体部と別体である。蓋部は、周壁部の上端から周壁部で取り囲まれた領域の内方に延び、内方端が自由端である内方延在部を含む。内方延在部は、周壁部の上端よりも内方において被包装物を受ける支持部を有する。
【０００８】
本発明の包装装置によれば、蓋部は本体部と別体であり、内方延在部は内方端が自由端であり、被包装物を受ける支持部を有しているため、被包装物を支持部で受けた状態で包装装置が落下した際に、蓋部が大きく変形することにより衝撃を緩和することができる。さらに蓋部が変形して本体部の凹み部に接触すると、本体部と蓋部とが一体となって変形することによりさらに衝撃を緩和することができる。これにより、包装装置は十分に緩衝することができる。
【０００９】
上記の包装装置においては、支持部は、凹み部よりも内方に配置されている。このため、被包装物を支持部で受けた状態で包装装置が落下した際に、蓋部が大きく変形することにより、内方に凹んだ凹み部に支持部が内方側から接触することができる。
【００１０】
上記の包装装置においては、凹み部は、支持部に接触可能な湾曲部を含んでいる。したがって、支持部が湾曲部に接触することにより、湾曲部において衝撃を吸収することができる。このため、効果的に緩衝することができる。
【００１１】
上記の包装装置においては、蓋部は、本体部よりも変形しやすい。このため、蓋部で小さな衝撃を緩和でき、本体部で大きな衝撃を緩和できる。
【００１２】
上記の包装装置においては、周壁部の上端は矩形形状に形成されている。支持部は、矩形形状の四隅の各々の内側に配置されている。被包装物の強度は矩形形状の四隅の各々の内側において大きくなるため、支持部が矩形形状の四隅の各々の内側に配置されていることにより、支持部に大きな衝撃がかかる。したがって、蓋部を大きく変形させて緩衝することができる。
【００１３】
上記の包装装置においては、蓋部は、複数の部材に分割可能に構成されている。複数の部材は、互いに重ならずに本体部内に収納される。このため、本体部内に蓋部を収納した状態で、本体部と蓋部とを回収できる。したがって、本体部と蓋部とを別々に回収する場合よりも回収の費用を低減できる。また、回収時に包装装置を小型化することができる。
【発明の効果】
【００１４】
以上説明したように本発明によれば、十分に緩衝できる包装装置を提供することができる。
【図面の簡単な説明】
【００１５】
【図１】本発明の一実施の形態の包装体を概略的に示す斜視図である。
【図２】本発明の一実施の形態の被包装物としての熱源機を概略的に示す斜視図である。
【図３】本発明の一実施の形態の包装装置を概略的に示す斜視図である。
【図４】図３に示す包装装置の分解斜視図である。
【図５】図３に示す包装装置の平面図である。
【図６】図１のＰ１部のＶＩ−ＶＩ線に沿う断面図である。
【図７】図６のＰ２部の拡大図である。
【図８】図６に示す蓋部が大きく変形した状態を示す断面図である。
【図９】本体部内に蓋部が収納された状態を概略的に示す平面図である。
【図１０】本体部材に蓋部が収納された状態で重ねられた包装装置を概略的に示す斜視図である。
【図１１】図１０のＸＩ−ＸＩ線に沿う断面図である。
【発明を実施するための形態】
【００１６】
以下、本発明の実施の形態について図に基づいて説明する。
まず、図１および図２を参照して、本発明の一実施の形態における包装体の構成について説明する。本実施の形態の包装体では、被包装物１としての熱源機１の上下両側の各端部に一対の包装装置２が外嵌されている。包装装置２は繰り返し使用可能（リターナブル）な包装用保護部材である。本実施の形態の熱源機１では、上下方向に縦長の金属製の筐体１１の内部に機器本体が収容されている。この筐体１１の上下端部に対し包装装置２が上下方向から外嵌される。
【００１７】
機器本体は、図示されていないが、燃焼装置と、送風装置と、熱交換器と、入水管と、出湯管とを主に有している。燃焼装置は、燃焼ガスを供給するためのものである。送風装置は、燃焼装置に燃焼用の空気を供給するためのものである。熱交換器は、燃焼装置によって供給された燃焼ガスの熱を回収するためのものである。入水管は、熱交換器に被加熱流体である水を供給するためのものである。出湯管は、熱交換器で燃焼ガスと熱交換することにより加熱された湯水を出湯するためのものである。
【００１８】
また、筐体１１は、接合フランジ１２と、排気口１３とを有している。接合フランジ１２は、筐体１１の前面側部分と後面側部分とを互いに接合している。排気口１３は筐体１１の前面に設けられている。入水管の接続端部１４と、出湯管の接続端部１５と、燃焼装置へのガス供給管の接続端部１６とは、筐体１１の下面から外部に突出している。
【００１９】
包装装置２は、被包装物１の一端を被包装物１の外側から包装するためのものである。一対の包装装置２は互いに結束紐３により結束されている。一対の包装装置２は互いに同一形状に形成されている。結束紐３は、熱源機１の上下両側の各端部に一対の包装装置２のそれぞれを押し付けるように一対の包装装置２を結束している。結束紐３は、たとえばポリプロピレンバンドである。熱源機１に外嵌めされた一対の包装装置２が互いに結束紐３により結束された状態で熱収縮フィルム４により全体が覆われ、熱収縮フィルム４を熱収縮させることにより包装されている。なお、熱収縮フィルム４には収縮開口４１が形成されている。
【００２０】
熱収縮フィルム４は、たとえば低密度ポリエチレン、ポリプロピレン、エチレン、酢酸ビニル共重合体等のうちのいずれか一種の単層もしくは複数種を積層した積層フィルム、または、これらの樹脂組成物からなるフィルムである。熱収縮フィルム４は被包装物１が視覚により確認し得るように半透明もしくは透明のものが好ましい。なお、熱収縮フィルム４の厚みは、見やすくするため実際よりも厚く図示されている。
【００２１】
次に、図３〜図５を参照して、包装装置２は、本体部２１と、蓋部２２とを有している。本体部２１は、底部２１ａと、周壁部２１ｂと、凹み部２１ｃと、挿入部２１ｄと、段部２１ｅとを有している。本体部２１はトレー状に形成されている。本体部２１は上方に開口している。本体部２１は薄肉状に形成されている。本体部２１は合成樹脂からなっている。底部２１ａと、周壁部２１ｂと、凹み部２１ｃと、挿入部２１ｄとは一体成形されている。
【００２２】
底部２１ａは、平面視において、被包装物１としての熱源機１の下面および上面の形状と略相似形であって、熱源機１の下面および上面よりも大きい矩形形状を有している。底部２１ａは平板状に形成されている。
【００２３】
周壁部２１ｂは底部２１ａの周縁から上方に延びるように構成されている。周壁部２１ｂは、底部２１ａの周縁から斜め外方に徐々に拡がるように傾斜した状態で立ち上がっている。周壁部２１ｂの長手方向の側壁と短手方向の側壁とをつなぐ角部は曲面により構成されている。周壁部２１ｂの上端ＴＥは矩形形状に形成されている。周壁部２１ｂの上端ＴＥは、底部２１ａと略相似形であって、底部２１ａよりも大きい形状を有している。
【００２４】
凹み部２１ｃは、周壁部２１ｂの上端ＴＥよりも下側において内方に凹んでいる。凹み部２１ｃは周壁部２１ｂから内方に凹んでいる。凹み部２１ｃは外壁面ＯＷから内壁面ＩＷに向かう方向に凹んでいる。凹み部２１ｃは周壁部２１ｂの長手方向の側壁に連続して設けられている。凹み部２１ｃは２つ設けられており、周壁部２１ｂの長手方向の側壁の両端の近傍にそれぞれ配置されている。凹み部２１ｃは蓋部２２の下方に配置されている。凹み部２１ｃは蓋部２２に覆われている。なお、凹み部２１ｃの個数は２つに限定されない。また、凹み部２１ｃは長手方向の側壁の一方のみではなく、他方にも設けられていてもよい。
【００２５】
蓋部２２は本体部２１と別体である。蓋部２２は、熱源機１の複数の機種を載置可能に構成されている。蓋部２２は、内方延在部２２ａと、外周部２２ｂと、手掛け部２２ｅとを有している。内方延在部２２ａは、周壁部２１ｂの上端ＴＥから周壁部２１ｂで取り囲まれた領域の内方に延びている。内方延在部２２ａの内方端ＩＥは自由端である。内方延在部２２ａは支持部ＳＰを有している。支持部ＳＰは周壁部２１ｂの上端ＴＥよりも内方において被包装物１を受けるよう構成されている。支持部ＳＰは、矩形形状の四隅の各々の内側に配置されている。つまり、支持部ＳＰは周壁部２１ｂの角部の各々の内側に配置されている。
【００２６】
外周部２２ｂは、周壁部２１ｂの外壁面ＯＷの外側において、外壁面ＯＷに沿うように構成されている。内方延在部２２ａは、内周部２２ｃと天板部２２ｄとを有している。内周部２２ｃは、周壁部２１ｂの内壁面ＩＷの内側において、内壁面ＩＷに沿うように構成されている。支持部ＳＰは、内周部２２ｃの下端から内周部２２ｃの内側に張り出している。支持部ＳＰは内周部２２ｃに沿って延在している。支持部ＳＰは内周部２２ｃの全周に渡って延在していてもよい。内方延在部２２ａの天板部２２ｄは周壁部２１ｂの上端ＴＥに載置されている。天板部２２ｄは、周壁部２１ｂの上端ＴＥを越えて外周部２２ｂと内周部２２ｃとをつないでいる。天板部２２ｄは、外壁面ＯＷ側から内壁面ＩＷ側に張り出すように構成されている。なお、使用者は挿入部２１ｄおよび手掛け部２２ｅに手をかけることで包装装置２を運搬することができる。
【００２７】
蓋部２２は、複数の部材２２Ｐに分割可能に構成されている。具体的には、蓋部２２は２つの部材２２Ｐに分割されている。２つの部材２２Ｐはそれぞれ周壁部２１ｂの長手方向の側壁の長手方向の両端に配置されている。２つの部材２２Ｐはそれぞれ周壁部２１ｂの短手方向の側壁および長手方向の側壁の一部に載置されている。つまり、蓋部２２は、周壁部２１ｂの長手方向の側壁の中央には載置されていない。
【００２８】
図６および図７を参照して、本体部２１の底部２１ａが地面Ｇに置かれた状態が示されている。この状態において、熱源機１の一端（下端）が内方延在部２２ａの支持部ＳＰに載置されている。詳細には、本体部２１の周壁部２１ｂの上端ＴＥに蓋部２２が支持されている。具体的には、外周部２２ｂと天板部２２ｄとの接続部が周壁部２１ｂの上端ＴＥに支持されている。そして、天板部２２ｄは、周壁部２１ｂの上端ＴＥから内方に延びて内周部２２ｃに達している。また、支持部ＳＰは内周部２２ｃから内方に延びて熱源機１の一端（下端）を支持している。このように、内方延在部２２ａは周壁部２１ｂの上端ＴＥを支点にして片持ち梁状に構成されており、支持部ＳＰで熱源機１を支持している。支持部ＳＰは、凹み部２１ｃよりも内方に配置されている。また、凹み部２１ｃは、支持部ＳＰに接触可能な湾曲部ＣＰを有している。湾曲部ＣＰは、支持部ＳＰと向かい合うように配置されている。湾曲部ＣＰは、支持部ＳＰと向かい合う方向に凸状に湾曲している。なお、接続端部１６は、内方延在部２２ａの内方端ＩＥよりも内方に配置されている。また、接続端部１６は底部２１ａに接触しないように配置されている。
【００２９】
図７を参照して、熱源機１の一端（下端）が支持部ＳＰに載置された状態では、支持部ＳＰは凹み部２１ｃと離れて配置されている。つまり、支持部ＳＰは、熱源機１の一端（下端）が支持部ＳＰに載置されて静止荷重が加えられた状態では、凹み部２１ｃに接触しない。このため、この状態では、蓋部２２が変形することにより衝撃が緩和される。
【００３０】
他方、図８を参照して、熱源機１の一端（下端）が支持部ＳＰに載置された状態で熱源機１および包装装置２が地面Ｇ（図６）に落下した際には、衝撃により内方延在部２２ａは周壁部２１ｂの上端ＴＥを支点にして斜め下方に傾斜する。このため、内方延在部２２ａが曲がることにより支持部ＳＰは凹み部２１ｃに接触する。つまり、支持部ＳＰは、熱源機１の一端（下端）が支持部ＳＰに載置されて衝撃荷重が加えられた状態では、凹み部２１ｃに接触する。そして、支持部ＳＰが凹み部２１ｃに接触した後には、本体部２１と蓋部２２とが一体となって変形することにより衝撃が緩和される。
【００３１】
また、蓋部２２は、本体部２１よりも変形しやすいように構成されていてもよい。つまり、蓋部２２は、材質、厚み、弾性係数などを調整することにより、本体部２１よりも弾性変形しやすいように構成されていることが好ましい。
【００３２】
図９を参照して、蓋部２２の複数の部材２２Ｐは、分割された状態で本体部２１内に収容される。複数の部材２２Ｐは、互いに重ならずに本体部２１内に収納される。具体的には、複数の部材２２Ｐは、互いに重ならないように底部２１ａ上に載置されている。底部２１ａは、複数の部材２２Ｐが互いに重ならないように配置可能な面積を有している。また、複数の部材２２Ｐは、周壁部２１ｂで取り囲まれた領域内に配置されている。なお、底部２１ａには複数の部材２２Ｐを固定するための固定部材が設けられていてもよい。この固定部材は、複数の部材２２Ｐを固定可能な突起などであってもよい。
【００３３】
図１０および図１１を参照して、蓋部２２の複数の部材２２Ｐが互いに重ならずに本体部２１内に収納された状態で、複数の本体部２１は互いに積み重ねられている。複数の本体部２１は、互いに積み重ねられた状態で、上側に配置された本体部２１の底部２１ａと下側に配置された本体部２１に収納された複数の部材２２Ｐとが接触しないように積み重ねられている。つまり、蓋部２２の高さは、本体部２１の積み重ねによって底部２１ａ同士により生じる空間の高さ以下である。本実施の形態では、上側に配置された本体部２１の段部２１ｅは下側に配置された本体部２１の上端ＴＥに支持されている。これにより、蓋部２２に本体部２１の底部２１ａが接触しないように複数の本体部２１を互いに積み重ねることができる。
【００３４】
次に、本実施の形態の作用効果について説明する。
本実施の形態の包装装置２によれば、蓋部２２は本体部２１と別体であり、内方延在部２２ａは内方端ＩＥが自由端であり、被包装物１としての熱源機１を受ける支持部ＳＰを有しているため、熱源機１を支持部ＳＰで受けた状態で包装装置２が落下した際に、蓋部２２が大きく変形することにより衝撃を緩和することができる。さらに蓋部２２が変形して本体部２１の凹み部２１ｃに接触すると、本体部２１と蓋部２２とが一体となって変形することによりさらに衝撃を緩和することができる。これにより、包装装置２は十分に緩衝することができる。また、小さな衝撃には蓋部２２のみが変形し、大きな衝撃には本体部２１と蓋部２２とが一体となって変形することにより、小さな衝撃から大きな衝撃まで緩衝することができる。
【００３５】
また、本実施の形態の包装装置２においては、支持部ＳＰは、凹み部２１ｃよりも内方に配置されている。このため、熱源機１を支持部ＳＰで受けた状態で包装装置２が落下した際に、蓋部２２が大きく変形することにより、内方に凹んだ凹み部２１ｃに支持部ＳＰが内方側から接触することができる。
【００３６】
また、本実施の形態の包装装置２においては、凹み部２１ｃは、支持部ＳＰに接触可能な湾曲部ＣＰを含んでいる。したがって、支持部ＳＰが湾曲部ＣＰに接触することにより、湾曲部ＣＰにおいて衝撃が吸収することができる。このため、効果的に緩衝することができる。
【００３７】
また、本実施の形態の包装装置２においては、蓋部２２は、本体部２１よりも変形しやすい。このため、蓋部２２で小さな衝撃を緩和でき、本体部２１で大きな衝撃を緩和できる。
【００３８】
また、本実施の形態の包装装置２においては、周壁部２１ｂの上端ＴＥは矩形形状に形成されている。支持部ＳＰは、矩形形状の四隅の各々の内側に配置されている。熱源機１の強度は矩形形状の四隅の各々の内側において大きくなるため、支持部ＳＰが矩形形状の四隅の各々の内側に配置されていることにより、支持部ＳＰに大きな衝撃がかかる。したがって、蓋部２２を大きく変形させて緩衝することができる。
【００３９】
また、本実施の形態の包装装置２においては、蓋部２２は、複数の部材２２Ｐに分割可能に構成されている。複数の部材２２Ｐは、互いに重ならずに本体部２１内に収納される。このため、本体部２１内に蓋部２２を収納した状態で、本体部２１と蓋部２２とを回収できる。したがって、本体部２１と蓋部２２とを別々に回収する場合よりも回収の費用を低減できる。また、回収時に包装装置２を小型化することができる。
【００４０】
なお、上記では、結束紐３および熱収縮フィルム４を併用した場合について説明したが、これに限定されず、熱収縮フィルム４なしで結束紐３のみで一対の包装装置２が結束されたり、結束紐３なしで熱収縮フィルム４のみで一対の包装装置２が保持されたりしてもよい。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４２】
１  被包装物（熱源機）、２  包装装置、３  結束紐、４  熱収縮フィルム、１１  筐体、１２  接合フランジ、１３  排気口、１４，１５，１６  接続端部、２１  本体部、２１ａ  底部、２１ｂ  周壁部、２１ｃ  凹み部、２２  蓋部、２２Ｐ  複数の部材、２２ａ  内方延在部、２２ｂ  外周部、２２ｃ  内周部、２２ｄ  天板部、ＣＰ  湾曲部、ＩＥ  内方端、ＩＷ  内壁面、ＯＷ  外壁面、ＳＰ  支持部、ＴＥ  上端。
【図１】
2016199293.tif 000003
【図２】
2016199293.tif 000004
【図３】
2016199293.tif 000005
【図４】
2016199293.tif 000006
【図５】
2016199293.tif 000007
【図６】
2016199293.tif 000008
【図７】
2016199293.tif 000009
【図８】
2016199293.tif 000010
【図９】
2016199293.tif 000011
【図１０】
2016199293.tif 000012
【図１１】
2016199293.tif 000013